【事件の表示】
　特願２００６−１８９８６２「移動局、ソフトハンドオフ方法および受信回路」拒絶査定不服審判事件〔平成１８年１２月１４日出願公開、特開２００６−３４０３８２〕について、次のとおり審決する。
【結　論】
　本件審判の請求は、成り立たない。
【理　由】
第１　手続の経緯及び本願発明　
　
１．
手続の経緯
　
　本願は，平成９年３月１９日に出願された特願平９−６５６７９号の一部を平成１８年７月１０日に新たな特許出願としたものであって，平成２０年１０月２８日付けで拒絶査定され，同年１２月１１日に拒絶査定不服審判の請求がなされ，平成２２年１１月２日付けで当審から拒絶の理由を通知し，平成２３年１月７日付けで意見書とともに手続補正書の提出がなされたものである。
　
２．
本願発明
　
　本願の請求項１に係る発明（以下「本願発明」という。）は，平成２３年１月７日付け手続補正書の特許請求の範囲の請求項１に記載された次の事項により特定されるものである。
　
「　　【請求項１】
　ＣＤＭＡ方式により通信を行う移動局において、
　移動元基地局からの無線信号を受信するとともに、
前記移動元基地局から通知される周辺基地局のキャリア周波数を用いて前記
　前記複数のブランチによる周辺基地局のサーチ結果に応じて移動先基地局が検出された後は、前記ブランチの一部に前記移動元基地局に応じた第１のキャリア周波数を用いて前記移動元基地局との通信を維持させるとともに、他の前記ブランチに前記移動先基地局に応じた第２のキャリア周波数を用いて前記移動先基地局との同期確立を行わせ、前記移動元基地局から受信した信号と前記移動先基地局から受信した信号との間でダイバーシティ処理を行うように前記複数のブランチの動作を制御するブランチ動作制御部と、
　を有することを特徴とする移動局。」（下線は，請求人が付与。）
　
３．
平成２２年１１月２日付け拒絶理由通知
　
　平成２２年１１月２日付けで当審から通知した拒絶の理由は次のとおりである。
　
「この審判事件に関する出願は、合議の結果、以下の理由によって拒絶をすべきものです。これについて意見がありましたら、この通知書の発送の日から６０日以内に意見書を提出してください 。 
　
 　　　　　　　　　　　　　　　　理　由 
　
 　本件出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。 
　 
　　　　　記　　　（引用文献等については引用文献等一覧参照） 
　 
　請求項１〜８に係る発明は，平成２０年７月２４日付け手続補正書の特許請求の範囲の請求項１〜８に記載された事項により特定されるものである。 
　
・請求項１に係る発明（以下「本願第１発明」という。）について　 
　
１．引用例及び引用発明 
　
（１）引用例 
　当審において引用する国際公開第９６／１０８７１号（以下「引用例」という。）には，図面とともに次の事項が記載されている。 
　
ア 
Ｉ. FIELD OF THE INVENTION 
　The present invention relates to radio communications. 
More particularly, the present invention relates to radios having the capability of communicating over more than one frequency simultaneously.
（Ｉ．発明の背景 
　この発明は，無線通信に関する。特に，本発明は同時に一以上の周波数を通信できる無線に関する。（対応日本語公報第１０ページ）） 
　 
イ 
　CDMA technology provides for soft hand-off between cells across one frequency by the changing of code phase offsets. When there is a need to use more than one frequency so that a hand-off between two frequencies is required, a hard hand-off is performed. Hand-off between sectors of one cell across one frequency is referred to in the art as a softer hand-off.（第２ページ第１６〜２０行） 
（ＣＤＭＡ技術は，コード　フエース　オフセットを変化させることにより一つの周波数を横切って通信ゾーン間でのソフト　ハンドオフ（soft hand-off）を提供する。二つの周波数の間でのハンドオフが要求される結果，一つ以上の周波数の使用が必要である時は，ハード　ハンドオフ（a hard hand-off）が実行される。一つの周波数を横切るひとつの通信ゾーンのセクター間でのハンドオフは，ソフトハンドオフとしての技術の中で引用される。（対応日本語公報第１１ページ）） 
　 
ウ 
　When a mobile radio moves from one cell to another, the radio may need to change frequencies, i.e., execute a hard hand-off. This frequency change in PCS may be due to the use of Operational Fixed Services (OFS) that share the PCS spectrum. Near these OFS's, the PCS mobile cannot use the OFS frequency in order to avoid interference. The PCS mobile, therefore, has to change frequencies in these areas.　 
　
In handing-off from one frequency to another, the mobile radio searches the Neighbor Set for another pilot channel, synchronizing channel, paging channel, and traffic channel.
　The problem with a soft hand-off from one frequency to another is that as the mobile radio searches the Neighbor Set for other pilot channels, the synthesizer must change frequencies rapidly while allowing a settling time of 2 milliseconds on the frequency to enable the frequency to stabilize. This is difficult to accomplish and requires a more complex design to do so. Additionally, the mobile must leave the frequency being used, causing an interruption in communications. There is a resulting need for an economical radio that can rapidly communicate over multiple frequencies, thus allowing the mobile radio to efficiently perform a soft hand-off between frequencies.（第４ページ第１３〜３３行） 
（移動無線装置が一つの通信ゾーンから他へ動く時，無線装置は周波数を変更する，すなわちハードハンドオフを実行する必要がある。ＰＣＳにおけるこの周波数変更は，ＰＣＳスペクトラムを共有する操作固定サービス（Operational Fixed Services）（ＯＦＳ）の使用に帰結されるであろう。これらのＯＦＳの近くで，ＰＣＳ移動体は，干渉を避けるためにＯＦＳ周波数を使用することができない。ＰＣＳ移動体は，それ故に，これらのエリアで周波数を変更しなければならない。 
　一つの周波数から他へのハンディンク　オフにおいて，移動無線装置は他のパイロットチヤンネル，同期チャンネル，ページング　チャンネル，及びトラヒックチャンネルのための近隣セットをサーチする。もしもただ一つのパイロット及び／又は同期チャンネルしか存在しない時は，移動無線装置は次の周波数に移動する。 
　一つの周波数から他へのソフトハンドオフに伴う問題は，移動無線装置が他のパイロットチャンネルのために近隣セットをサーチする時，総合者（シンセサイザー）は周波数を安定化するために，その周波数上で２マイクロ秒の安定時間を許容する間に，急速に周波数を変更しなければならないことである。これは，完了することが難しく，そのようにするためのより複雑な設計を要求する。さらに，移動体は，使用されかつ通信において干渉を引き起こす周波数を離れなければならない。多重周波数以上に急速に通信できる経済的無線に対する結果としての要求が存在する。それは周波数間でのソフトハンドオフを効果的に実行する移動無線装置のように。（対応日本語公報第１３〜１４ページ）） 
　 
エ 
SUMMARY OF THE INVENTION 
　The present invention encompasses a multiple band radio that can transmit and receive multiple frequency signals simultaneously. The radio has a transmit path and a receive path. The transmit path is comprised of a plurality of mixing paths. Each mixing path has an amplifier whose input is coupled to the signal to be transmitted. The output of each amplifier is coupled to an input of a mixer. Another input of the mixers is coupled to an output of a frequency synthesizer. The resulting signals from the mixers are summed by a summer. The sum signal is input to a power amplifier which inputs the signal to an antenna to be radiated. 
　The receive path is comprised of an amplifier coupled to the antenna for amplifying received signals. The output of the amplifier is input to a plurality of down converting paths. Each down converting path has a mixer coupled to the amplified signal. Another input of each mixer is coupled to the frequency synthesizers. The resulting down converted signals are input to filters. The output of each filters is input to a variable gain amplifier. The amplified signals from the down converting paths are input to a summer. The sum signal is then input to a common filter that generates a signal for use by the rest of the radio. 
　The multiple frequency synthesizers in combination with the multiple transmit and receive paths enables the apparatus of the present invention to transmit and receive on multiple frequencies simultaneously, communicate on one frequency while searching others, and to perform a soft hand-off between frequencies. This alleviates the problem of the prior art of settling time of a frequency synthesizer since the frequency synthesizers do not have to change frequencies as rapidly and as frequently as previously required. It also avoids an interruption in communications, as normally results from monitoring one frequency at a time.（第４ページ第３５行〜第５ページ第２６行） 
（発明の概要 
 　この発明は，多重周波数信号を同時に送信し受信することができる多重バンド無線装置を包含する。無線装置は，送信パス（ｐａｔｈ）と受信パスとをもつ。送信パスは複数のミキシングパスよりなる。各ミキシングパスは送信されるべき信号に入力を連結する増幅器を有している。各増幅器の出力は，ミキサーの入力に連結される。ミキサーの他の入力は周波数シンセサイザーの出力に連結される。ミキサーからの結果としての信号は加算器（summer）により加算される。その加算信号は，放射されるためにアンテナに信号を入力する電力増幅器に入力される。 
　受信パスは，受信された信号を増幅するためにアンテナに連結された増幅器より構成される。増幅器の出力は，複数のダウンコンバーティンパスへ入力される。各ダウンコンバーティンパス（down convertion paths）は増幅された信号に連結されているミキサーを持っている。各ミキサーの他の入力は，周波数シンセサイザーに連結されている。この結果としてダウンコンバーティンされた信号は，フイルターに入力される。各フイルターの出力は，可変ゲイン増幅器に入力される。ダウンコンバーティンパスからの増幅された信号は，加算器に入力される。この加算信号は，それから共通のフイルターに入力され，残りの無線装置による使用のための信号が作られる。 
　多重送信及び受信パスに組み合わされた多重周波数シンセサイザーは，この発明の装置で多重周波数で同時に送受信し，他をサーチ中に一つの周波数で通信し，そして周波数間でソフトハンドオフを実施することを可能とする。これは，周波数シンセサイザーが，以前に要求されるような急速かつ頻繁に周波数を変更しなければならないことはないため，周波数シンセサイザーの安定化時間に関する従来技術の問題を軽減する。それはまた一度に一つの周波数のモニタリングから通常起こるような，通信での干渉を回避する。（対応日本語公報第１４〜１５ページ）） 
　 
オ 
　The transmit path (103) of the apparatus of the present invention is further comprised of multiple mixing paths (110 and 115).
 In the preferred embodiment, there are two mixing paths (110 and 115) enabling the radio to communicate on two different frequencies simultaneously.
　Each mixing path (110 and 115) contains a differential AGC amplifier (120 and 125) each feeding the input of a mixer (130 and 135).　 
　These amplifiers (120 and 125) have a variable gain that is adjustable over a 20 dB range, in the preferred embodiment. Alternate embodiments have different ranges for the amplifier gain.　 
　The inputs to the differential AGC amplifiers (120 and 125) are coupled to the output of the transmit common AGC amplifier (101). The differential AGC amplifiers (120 and 125) amplify the signal to be transmitted. During normal operation of the radio, the gain of one of the amplifiers is set to zero. When the radio is handing-off or searching another frequency, the gains are approximately equal. If it is desired to change the hand-off region of the system, one gain can be increased over the other. This increases the transmit power of one signal over the other and therefore the distance the radio can operate from the base station using the frequency of the higher power signal.　 
　Frequency synthesizers (140 and 145) are coupled to the other inputs of the mixers (130 and 135). These synthesizers (140 and 145), in the preferred embodiment, are variable frequency synthesizers that cover the frequency spectrum set aside for either the cellular radiotelephone systems or the personal communication systems. 
The frequency output by the synthesizers (140 and 145) is controlled by the radio's microcontroller.
 （この発明の装置の送信パス（１０３）は，マルテイプル　ミキシングパス（１１０と１１５）により構成される。好適な実質例において，無線装置が二つの異なる周波数で同時に通信できる，二つのミキシングパス（１１０と１１５）がある。代わりの実施例は，無線装置がより多数の基地局と通信できるために二つ以上のミキシングパスを使用することができる。 
　各ミキシングパス（１１０と１１５）はミキサー（１３０と１３５）の入力を各々供する差動ＡＧＣ増幅器（１２０と１２５）を含んでいる。これら増幅器（１２０と１２５）は，好適な実施例において，２０ｄＢ範囲を越えて調整可能な可変のゲインを持って居る。代わりの実施例は増幅器ゲインのための異なる範囲を持っている。 
　差動ＡＧＣ増幅器（１２０と１２５）への入力は送信共通ＡＧＣ増幅器１０１の出力に接続されている。差動ＡＧＣ増幅器（１２０と１２５）は送信される信号を増幅する。無線装置の通常の動作の間，増幅器の一つのゲインは，ゼロに設定されている。無線装置がハンデイングーオフ或いは他の周波数をサーチしている時は，そのゲインは概略等しい。もしもシステムのハンドーオフ範囲を変更することが望まれる場合は，一つのゲインは無線装置が他のゲインを越えて増加され得る。これは高いパワー信号の周波数を使用する基地局から動作できる他のパワーと，それゆえに距離を越えて，一つの信号の送信パワーを増加する。 
　周波数シンセサイザー（１４０と１４５）はミキサー（１３０と１３５）の他の入力に接続される。好適な実施例における，これらのシンセサイザー（１４０と１４５）は，移動体通信の無線電話システム或いは個人通信システムのいずれかのために取っておかれた周波数スペクトラムをカバーする可変周波数シンセサイザーである。シンセサイザー（１４０と１４５）による周波数出力は，無線装置のマイクロコントローラーにより制御される。無線装置は，動作する周波数について基地局からの指示を受け，マイクロコントローラーは，無線装置がそれらの周波数で送受信するようにシンセサイザー（１４０と１４５）の周波数を変える。（対応日本語公報第１６〜１７ページ）） 
（上記において下線は当審が付与。対応日本語公報とは特表平１０−５０７０４４号公報） 
　 
　上記の記載によれば，ＣＤＭＡ方式により通信を行う移動局において，異なるキャリア周波数の基地局間でソフトハンドオフを行うことが引用例には記載されている。しかし，ダイバーシティ処理を行う点は，引用例には記載がない点で，本願第１発明と相違し，残余は一致している。 
　しかし，ＣＤＭＡ方式により通信を行う移動局において，ソフトハンドオフ等ハンドオフの際に，ダイバーシティ処理を行うことは，例えば，特開平８−６５２０１号公報（【０００１】〜【０００７】等。以下「周知例」という。）記載の「スペースダイバーシチ」，「パスダイバーシチ」のように周知である。 
　 
　よって，本願第１発明の構成は，引用例記載の発明及び周知技術に基づいて，当業者が容易に想到し得たものである。 
　したがって，本願第１発明（請求項１に係る発明）は，引用例記載の発明及び周知技術に基づいて，当業者が容易に発明をすることができたものである。 
　 
・請求項２に係る発明について　 
　 
　ＣＤＭＡ方式におけるハンドオフにおいて，基地局からの信号をダイバーシティ受信することは周知であり，さらに，ＣＤＭＡのハンドオフにおいて，移動元基地局との通信を解除した後，移動先基地局からの信号をダイバーシティ受信することは，当業者が容易になし得る事項に過ぎない。 
　よって，上記請求項１に係る発明について，と同じく，請求項２に係る発明は，引用例記載の発明及び周知技術に基づいて，当業者が容易に発明をすることができたものである。 
　 
・請求項３に係る発明について　 
　 
　キャリア周波数を出力するシンセサイザ，受信した無線信号にキャリア周波数を乗算して周波数変換を行う受信機，周波数変換後の中間周波数出力にスペクトル拡散復調を行うスペクトル拡散復調部により，ＣＤＭＡ信号の受信を行うことは，周知（周知例参照。）である。 
　よって，上記請求項１に係る発明について，と同じく，請求項３に係る発明は，引用例記載の発明及び周知技術に基づいて，当業者が容易に発明をすることができたものである。 
　 
・請求項４，５に係る発明について　 
　 
　移動元基地局との通信を解除した後，ダイバーシティ受信を行わないようにすること，周辺基地局のサーチを周期的に実行することは，当業者が適宜なし得る事項に過ぎず，格別なものでもない。 
　よって，上記請求項１に係る発明について，と同じく，請求項４，５に係る発明は，引用例記載の発明及び周知技術に基づいて，当業者が容易に発明をすることができたものである。 
　 
・請求項６に係る発明について　 
　 
　ＣＤＭＡにおいて，周辺基地局のサーチの際に，請求項６記載のようにすることは，引用例を示すまでもなく周知である。 
　よって，上記請求項１に係る発明について，と同じく，請求項６に係る発明は，引用例記載の発明及び周知技術に基づいて，当業者が容易に発明をすることができたものである。 
　 
・請求項７，８に係る発明について　 
　 
　上記請求項１に係る発明について，と同じく，請求項７，８に係る発明は，引用例記載の発明及び周知技術に基づいて，当業者が容易に発明をすることができたものである。 
　 
　 
　拒絶の理由が新たに発見された場合には拒絶の理由が通知される。 
　 
＊＊＊引用文献等一覧 
１．国際公開第９６／１０８７１号（引用例） 
（対応日本語公報，特表平１０−５０７０４４号公報） 
２．特開平８−６５２０１号公報（周知例） 」
　
４．
平成２３年１月７日付け意見書
　
　平成２３年１月７日付けで請求人から提出された意見書に記載された事項の概要は次のとおりである。
　
「（２）出願人は、上記拒絶理由通知書及び引用文献を詳しく検討しました。出願人は、この意見書と同時に提出する手続補正書により特許請求の範囲及び明細書の記載を補正して、ご再考を求めます。
　なお、請求項１，７，８に追加した「移動元基地局から通知される周辺基地局のキャリア周波数を用いて」は、補正前の請求項６の記載に基づいており、新規事項を追加するものではありません。
（３）請求項１に係る発明は、同時に提出した手続補正書で一層明確にしたように、「ＣＤＭＡ方式により通信を行う移動局において、移動元基地局からの無線信号を受信するとともに、前記移動元基地局から通知される周辺基地局のキャリア周波数を用いて前記周辺基地局のサーチを行う複数のブランチと、前記複数のブランチによる周辺基地局のサーチ結果に応じて移動先基地局が検出された後は、前記ブランチの一部に前記移動元基地局に応じた第１のキャリア周波数を用いて前記移動元基地局との通信を維持させるとともに、他の前記ブランチに前記移動先基地局に応じた第２のキャリア周波数を用いて前記移動先基地局との同期確立を行わせ、前記移動元基地局から受信した信号と前記移動先基地局から受信した信号との間でダイバーシティ処理を行うように前記複数のブランチの動作を制御するブランチ動作制御部と、を有することを特徴とする移動局。」としたものです。
　これによって、異なるキャリア周波数が使われ得る周辺基地局のサーチを効率的に行うことができる、という引用文献にはない特別の効果を有しています。引用文献１，２には、このような効果を奏する「前記移動元基地局から通知される周辺基地局のキャリア周波数を用いて前記周辺基地局のサーチを行う複数のブランチ」に関しては、なんの開示も示唆もありません。
　引用文献１には、複数の周波数シンセサイザを用いて複数の周波数で同時に送受信できるようにし、１つの周波数で通信を行っている間に他の周波数でサーチを行い、異なる周波数間のソフトハンドオフを実現することが記載されています（第５ページ第１７〜２１行）。また、動作する周波数が基地局から通知される旨が記載されています（第７ページ第２０〜２２行）。引用文献２には、ソフトハンドオーバ（ＳＨＯ）時には、ＳＨＯ元基地局とＳＨＯ先基地局それぞれに対して１系統を使用し、サイトダイバーシチにより受信品質を維持することが記載されています（段落［０００６］）。
　しかし、引用文献１，２には、移動元基地局から通知された周辺基地局のキャリア周波数を用いて周辺基地局をサーチすることは開示されていません。また、ＣＤＭＡ方式の無線通信において、異なるキャリア周波数が使われ得る周辺基地局のサーチのためにキャリア周波数が通知されることは、周知技術でないと考えます。
　これに対し、請求項１に係る発明では、移動元基地局から通知された周辺基地局のキャリア周波数を用いて周辺基地局をサーチします。これにより、基地局によって異なるキャリア周波数が使用され得る環境においても、周辺基地局のサーチを効率的に行うことができます。また、サーチにより測定された受信レベルが最大の基地局を移動先に選択する等の選択方法をとることが容易となり、通信品質の良好な移動先基地局を探すことが容易となります。なお、サーチする周波数に関して、引用文献１には、パイロットチャネル，同期チャネル，ページングチャネル，トラヒックチャネルを見つけるために「近隣セット」をサーチし、パイロットチャネル，同期チャネルしか見つからない場合は他の周波数に進むことが言及されているに過ぎません（第４ページ第１９〜２３行）。
　このように、引用文献１，２には、請求項１が備える構成についてなんの開示も示唆もなく、請求項１に係る発明に想到するような動機付けを見出すこともできません。よって、請求項１に係る発明は、引用文献１，２から当業者が容易に発明できたとは考えられません。
　請求項２〜６に係る発明は、少なくとも請求項１に係る発明の特徴を含んでいます。請求項７，８に係る発明は、請求項１に係る移動局の発明に対応する方法の発明及び受信回路の発明です。よって、請求項２〜８に係る発明は、請求項１と同様、引用文献１，２から当業者が容易に発明できたとは考えられません。
　従って、本願発明は上記引用文献から当業者が容易に発明できたとは考えられません。」
　
　
第２　引用文献　
　
１．
引用例
　本願のもとの出願の日の前に頒布された国際公開第９６／１０８７１号（１９９６年（平成８年）４月１１日国際公開。以下「引用例」という。）には，図面とともに次の事項が記載されている。
　
（１）
Ｉ. FIELD OF THE INVENTION 
　The present invention relates to radio communications. 
More particularly, the present invention relates to radios having the capability of communicating over more than one frequency simultaneously.
（Ｉ．発明の背景 
　この発明は，無線通信に関する。特に，本発明は同時に一以上の周波数を通信できる無線に関する。（対応日本語公報第１０ページ）） 
　 
（２）
　CDMA technology provides for soft hand-off between cells across one frequency by the changing of code phase offsets. When there is a need to use more than one frequency so that a hand-off between two frequencies is required, a hard hand-off is performed. Hand-off between sectors of one cell across one frequency is referred to in the art as a softer hand-off.（第２ページ第１６〜２０行） 
（ＣＤＭＡ技術は，コード　フエース　オフセットを変化させることにより一つの周波数を横切って通信ゾーン間でのソフト　ハンドオフ（soft hand-off）を提供する。二つの周波数の間でのハンドオフが要求される結果，一つ以上の周波数の使用が必要である時は，ハード　ハンドオフ（a hard hand-off）が実行される。一つの周波数を横切るひとつの通信ゾーンのセクター間でのハンドオフは，ソフトハンドオフとしての技術の中で引用される。（対応日本語公報第１１ページ）） 
　 
（３）
　When a mobile radio moves from one cell to another, the radio may need to change frequencies, i.e., execute a hard hand-off. This frequency change in PCS may be due to the use of Operational Fixed Services (OFS) that share the PCS spectrum. Near these OFS's, the PCS mobile cannot use the OFS frequency in order to avoid interference. The PCS mobile, therefore, has to change frequencies in these areas.　 
　
In handing-off from one frequency to another, the mobile radio searches the Neighbor Set for another pilot channel, synchronizing channel, paging channel, and traffic channel.
　The problem with a soft hand-off from one frequency to another is that as the mobile radio searches the Neighbor Set for other pilot channels, the synthesizer must change frequencies rapidly while allowing a settling time of 2 milliseconds on the frequency to enable the frequency to stabilize. This is difficult to accomplish and requires a more complex design to do so. Additionally, the mobile must leave the frequency being used, causing an interruption in communications. There is a resulting need for an economical radio that can rapidly communicate over multiple frequencies, thus allowing the mobile radio to efficiently perform a soft hand-off between frequencies.（第４ページ第１３〜３３行） 
（移動無線装置が一つの通信ゾーンから他へ動く時，無線装置は周波数を変更する，すなわちハードハンドオフを実行する必要がある。ＰＣＳにおけるこの周波数変更は，ＰＣＳスペクトラムを共有する操作固定サービス（Operational Fixed Services）（ＯＦＳ）の使用に帰結されるであろう。これらのＯＦＳの近くで，ＰＣＳ移動体は，干渉を避けるためにＯＦＳ周波数を使用することができない。ＰＣＳ移動体は，それ故に，これらのエリアで周波数を変更しなければならない。 
　一つの周波数から他へのハンディンク　オフにおいて，移動無線装置は他のパイロットチヤンネル，同期チャンネル，ページング　チャンネル，及びトラヒックチャンネルのための近隣セットをサーチする。もしもただ一つのパイロット及び／又は同期チャンネルしか存在しない時は，移動無線装置は次の周波数に移動する。 
　一つの周波数から他へのソフトハンドオフに伴う問題は，移動無線装置が他のパイロットチャンネルのために近隣セットをサーチする時，総合者（シンセサイザー）は周波数を安定化するために，その周波数上で２マイクロ秒の安定時間を許容する間に，急速に周波数を変更しなければならないことである。これは，完了することが難しく，そのようにするためのより複雑な設計を要求する。さらに，移動体は，使用されかつ通信において干渉を引き起こす周波数を離れなければならない。多重周波数以上に急速に通信できる経済的無線に対する結果としての要求が存在する。それは周波数間でのソフトハンドオフを効果的に実行する移動無線装置のように。（対応日本語公報第１３〜１４ページ）） 
　 
（４）
SUMMARY OF THE INVENTION 
　The present invention encompasses a multiple band radio that can transmit and receive multiple frequency signals simultaneously. The radio has a transmit path and a receive path. The transmit path is comprised of a plurality of mixing paths. Each mixing path has an amplifier whose input is coupled to the signal to be transmitted. The output of each amplifier is coupled to an input of a mixer. Another input of the mixers is coupled to an output of a frequency synthesizer. The resulting signals from the mixers are summed by a summer. The sum signal is input to a power amplifier which inputs the signal to an antenna to be radiated. 
　The receive path is comprised of an amplifier coupled to the antenna for amplifying received signals. The output of the amplifier is input to a plurality of down converting paths. Each down converting path has a mixer coupled to the amplified signal. Another input of each mixer is coupled to the frequency synthesizers. The resulting down converted signals are input to filters. The output of each filters is input to a variable gain amplifier. The amplified signals from the down converting paths are input to a summer. The sum signal is then input to a common filter that generates a signal for use by the rest of the radio. 
　The multiple frequency synthesizers in combination with the multiple transmit and receive paths enables the apparatus of the present invention to transmit and receive on multiple frequencies simultaneously, communicate on one frequency while searching others, and to perform a soft hand-off between frequencies. This alleviates the problem of the prior art of settling time of a frequency synthesizer since the frequency synthesizers do not have to change frequencies as rapidly and as frequently as previously required. It also avoids an interruption in communications, as normally results from monitoring one frequency at a time.（第４ページ第３５行〜第５ページ第２６行） 
（発明の概要 
 　この発明は，多重周波数信号を同時に送信し受信することができる多重バンド無線装置を包含する。無線装置は，送信パス（ｐａｔｈ）と受信パスとをもつ。送信パスは複数のミキシングパスよりなる。各ミキシングパスは送信されるべき信号に入力を連結する増幅器を有している。各増幅器の出力は，ミキサーの入力に連結される。ミキサーの他の入力は周波数シンセサイザーの出力に連結される。ミキサーからの結果としての信号は加算器（summer）により加算される。その加算信号は，放射されるためにアンテナに信号を入力する電力増幅器に入力される。 
　受信パスは，受信された信号を増幅するためにアンテナに連結された増幅器より構成される。増幅器の出力は，複数のダウンコンバーティンパスへ入力される。各ダウンコンバーティンパス（down convertion paths）は増幅された信号に連結されているミキサーを持っている。各ミキサーの他の入力は，周波数シンセサイザーに連結されている。この結果としてダウンコンバーティンされた信号は，フイルターに入力される。各フイルターの出力は，可変ゲイン増幅器に入力される。ダウンコンバーティンパスからの増幅された信号は，加算器に入力される。この加算信号は，それから共通のフイルターに入力され，残りの無線装置による使用のための信号が作られる。 
　多重送信及び受信パスに組み合わされた多重周波数シンセサイザーは，この発明の装置で多重周波数で同時に送受信し，他をサーチ中に一つの周波数で通信し，そして周波数間でソフトハンドオフを実施することを可能とする。これは，周波数シンセサイザーが，以前に要求されるような急速かつ頻繁に周波数を変更しなければならないことはないため，周波数シンセサイザーの安定化時間に関する従来技術の問題を軽減する。それはまた一度に一つの周波数のモニタリングから通常起こるような，通信での干渉を回避する。（対応日本語公報第１４〜１５ページ）） 
　 
（５）
DETAILED DESCRIPTION OF THE PREFERRED EMBODIMENT
　The apparatus and method of the present invention enables a mobile radio to operate on multiple frequencies. By increasing the number of intermediate frequency paths in the radio and separately mixing each signal to be transmitted to different frequencies, the number of frequencies that the radio can communicate over is increased. The use of CDMA technology then allows these signals to be separated later.（第６ページ第１〜８行）
（好適な実施例の詳細な説明
　この発明の装置及び方法は，移動無線装置に多重周波数で作動することを可能とする。無線装置における中間周波数パスの数を増加することにより，そして異なる周波数に送信されるべき各信号を別々にミキシングすることにより，無線装置が通信できる周波数の数は増加される。ＣＤＭＡ技術の使用は，それらの信号が後で分離できるようにする。（対応日本語公報第１５ページ））
　
（６）
　The transmit path (103) of the apparatus of the present invention is further comprised of multiple mixing paths (110 and 115).
 In the preferred embodiment, there are two mixing paths (110 and 115) enabling the radio to communicate on two different frequencies simultaneously.
　Each mixing path (110 and 115) contains a differential AGC amplifier (120 and 125) each feeding the input of a mixer (130 and 135).　 
　These amplifiers (120 and 125) have a variable gain that is adjustable over a 20 dB range, in the preferred embodiment. Alternate embodiments have different ranges for the amplifier gain.　 
　The inputs to the differential AGC amplifiers (120 and 125) are coupled to the output of the transmit common AGC amplifier (101). The differential AGC amplifiers (120 and 125) amplify the signal to be transmitted. During normal operation of the radio, the gain of one of the amplifiers is set to zero. When the radio is handing-off or searching another frequency, the gains are approximately equal. If it is desired to change the hand-off region of the system, one gain can be increased over the other. This increases the transmit power of one signal over the other and therefore the distance the radio can operate from the base station using the frequency of the higher power signal.　 
　Frequency synthesizers (140 and 145) are coupled to the other inputs of the mixers (130 and 135). These synthesizers (140 and 145), in the preferred embodiment, are variable frequency synthesizers that cover the frequency spectrum set aside for either the cellular radiotelephone systems or the personal communication systems. 
The frequency output by the synthesizers (140 and 145) is controlled by the radio's microcontroller.
　The radio receives instructions from the base stations on what frequency to operate and the microcontroller varies the frequency of the synthesizers (140 and 145) so that the radio transmits and receives at these frequencies.
　Each mixer (130 and 135) in the mixing paths (110 and 115) multiplies the signal from its respective differential AGC amplifier (120 or 125) with the signal from the respective frequency synthesizer (140 or 145).
　The outputs of both mixers (130 and 135) are combined by a summer (160).
　The sum signal is amplified by a power amplifier (165). In the preferred embodiment, the amplifier (165) is set at a gain of approximately 30 dB.
　Alternate embodiments use other gains depending on the noise levels of the components.
　The amplified signal is input to a duplexer (170) that is connected to an antenna (175). The duplexer (170) enables the antenna (175) to be connected to both the transmit (103) and receive paths (104) by separating the transmitted signals from the received signals.
　The receive path (104) is comprised of a low noise amplifier (180) feeding multiple down converting paths (116 and 117), each path down converting a received signal to the same IF frequency. The low noise amplifier amplifies the received signal by a gain of 20 dB in the preferred embodiment. 
　In the preferred embodiment, the amplified signal is input to the two down converting paths (116 and 117). Alternate embodiments use more down converting paths if it is desired to communicate with more than two base stations simultaneously.
　Each down converting path (116 and 117) is comprised of a mixer (185 and 190) that combines the frequency from one of the frequency synthesizers (140 or 145) with the received, amplified signal. Therefore, if a mixing path (110 or 115) operates at a frequency of 850 MHz, there is a corresponding down converting path (116 or 117) that also operates at that frequency offset by the duplexor offset. Band pass filters (122 and 132) are used to filter the signals from the mixers (185 and 190).
　The outputs of the bandpass filters (122 and 132) are each amplified by a differential amplifier (142 and 152). The amplifiers (142 and 152) operate in a similar fashion to the differential amplifiers (120 and 125) in the transmit path. The receive differential amplifiers (142 and 152) normally have a gain that is approximately equal. The gain of one can be offset from the other, however, to emphasize one signal frequency over the other. This enables the mobile to monitor either frequency channel or both at once.（第６ページ第３２行〜第８ページ第１９行）
（この発明の装置の送信パス（１０３）は，マルテイプル　ミキシングパス（１１０と１１５）により構成される。好適な実質例において，無線装置が二つの異なる周波数で同時に通信できる，二つのミキシングパス（１１０と１１５）がある。代わりの実施例は，無線装置がより多数の基地局と通信できるために二つ以上のミキシングパスを使用することができる。 
　各ミキシングパス（１１０と１１５）はミキサー（１３０と１３５）の入力を各々供する差動ＡＧＣ増幅器（１２０と１２５）を含んでいる。これら増幅器（１２０と１２５）は，好適な実施例において，２０ｄＢ範囲を越えて調整可能な可変のゲインを持って居る。代わりの実施例は増幅器ゲインのための異なる範囲を持っている。 
　差動ＡＧＣ増幅器（１２０と１２５）への入力は送信共通ＡＧＣ増幅器１０１の出力に接続されている。差動ＡＧＣ増幅器（１２０と１２５）は送信される信号を増幅する。無線装置の通常の動作の間，増幅器の一つのゲインは，ゼロに設定されている。無線装置がハンデイングーオフ或いは他の周波数をサーチしている時は，そのゲインは概略等しい。もしもシステムのハンドーオフ範囲を変更することが望まれる場合は，一つのゲインは無線装置が他のゲインを越えて増加され得る。これは高いパワー信号の周波数を使用する基地局から動作できる他のパワーと，それゆえに距離を越えて，一つの信号の送信パワーを増加する。 
　周波数シンセサイザー（１４０と１４５）はミキサー（１３０と１３５）の他の入力に接続される。好適な実施例における，これらのシンセサイザー（１４０と１４５）は，移動体通信の無線電話システム或いは個人通信システムのいずれかのために取っておかれた周波数スペクトラムをカバーする可変周波数シンセサイザーである。シンセサイザー（１４０と１４５）による周波数出力は，無線装置のマイクロコントローラーにより制御される。無線装置は，動作する周波数について基地局からの指示を受け，マイクロコントローラーは，無線装置がそれらの周波数で送受信するようにシンセサイザー（１４０と１４５）の周波数を変える。
　ミキシングパス（１１０と１１５）における各ミキサーは，それぞれの周波数シンセサイザー（１４０か１４５）からの信号をもつそれぞれの差動ＡＧＣ増幅器（１２０か１２５）からの信号を乗算する。二つのミキサー（１３０と１３５）の出力は，加算器（１６０）により連結される。加算信号は，パワー増幅器（１６５）により増幅される。好適な実施例において，増幅器（１６５）は約３０ｄＢのゲインに設定される。他の実施例はコンポーネントのノイズレベルに従う他のゲインを使用する。
　増幅された信号は，アンテナ（１７５）に接続されたデュプレクサ（１７０）に入力される。デュプレクサ（１７０）は受信された信号から送信された信号を分離することにより，アンテナを送信パス（１０３）と受信パス（１０４）の両者に接続できるようにする。
　受信パス（１０４）は多重ダウンコンバーティンパス（１１６と１１７）（各パスは受信した信号を同じＩＦ周波数にダウンコンバートする）に供する低ノイズ増幅器（１８０）よりなる。低ノイズ増幅器は好適な実施例において２０ｄＢのゲインで受信した信号を増幅する。
　好適な実施例において，増幅信号は二つのダウンコンバーティンパス（１１６と１１７）に入力される。他の実施例は，もしも二つ以上の基地局と同時に通信することが望まれるならば，さらなるダウンコンバーティンパスを使用する。
　各ダウンコンバーティングパス（１１６と１１７）は，受信され増幅された信号と周波数シンセサイザー（１４０か１４５）の一つからの周波数とを連結するミキサー（１８５と１９０）より構成される。それゆえに，もしもミキサーパス（１１０と１１５）が８５０ＭＨｚの周波数で動作するならば，デュプレクサオフセットによるそのオフセット周波数でまた動作するところの対応したダウンコンバーティングパス（１１６か１１７）が存在する。
　バンドパスフイルター（１２２と１３２）の出力は，差動増幅器（１４２と１５２）により各々増幅される。その増幅器（１４２と１５２）は，送信パスにおいて差動増幅器（１２０と１２５）に類似の仕方で動作する。受信差動増幅器（１４２と１５２）は通常ほぼ等しいゲインを持つ。しかし，一つのゲインは，他を越える一つの信号周波数を強調するために，他からオフセットされることができる。これは，移動体が，同時にいずれかの或いは両者の周波数チャンネルをモニター可能とする。（対応日本語公報第１６〜１８ページ））
　
（当審注　上記において，下線は当審が付与，対応日本語公報とは特表平１０−５０７０４４号公報。）　
　
　上記の引用例の記載によれば，引用例には，次の発明（以下「引用発明」という。）が開示されている。
　
「移動無線装置に多重周波数で作動することを可能とし，無線装置における中間周波数パスの数を増加することにより，そして異なる周波数に送信されるべき各信号を別々にミキシングすることにより，無線装置が通信できる周波数の数は増加され，ＣＤＭＡ技術の使用は，それらの信号が後で分離できるようにし，
　多重周波数信号を同時に送信し受信することができる多重バンド無線装置は，送信パス（path）と受信パスとをもち，
　受信パスは，受信された信号を増幅するためにアンテナに連結された増幅器より構成され，増幅器の出力は，複数のダウンコンバーティンパスへ入力され，各ダウンコンバーティンパス（down convertion paths）は増幅された信号に連結されているミキサーを持ち，各ミキサーの他の入力は，周波数シンセサイザーに連結されており，
　多重送信及び受信パスに組み合わされた多重周波数シンセサイザーは，この装置で多重周波数で同時に送受信し，他をサーチ中に一つの周波数で通信し，そして周波数間でソフトハンドオフを実施することを可能とし，
　周波数シンセサイザー（１４０と１４５）はミキサー（１３０と１３５）の他の入力に接続され，これらのシンセサイザー（１４０と１４５）は，移動体通信の無線電話システム或いは個人通信システムのいずれかのために取っておかれた周波数スペクトラムをカバーする可変周波数シンセサイザーであり，シンセサイザー（１４０と１４５）による周波数出力は，無線装置のマイクロコントローラーにより制御され，無線装置は，動作する周波数について基地局からの指示を受け，マイクロコントローラーは，無線装置がそれらの周波数で送受信するようにシンセサイザー（１４０と１４５）の周波数を変え，
　受信パス（１０４）は多重ダウンコンバーティンパス（１１６と１１７）に供する低ノイズ増幅器（１８０）よりなり，
　増幅信号は二つのダウンコンバーティンパス（１１６と１１７）に入力され，もしも二つ以上の基地局と同時に通信することが望まれるならば，さらなるダウンコンバーティンパスを使用し，
　各ダウンコンバーティングパス（１１６と１１７）は，受信され増幅された信号と周波数シンセサイザー（１４０か１４５）の一つからの周波数とを連結するミキサー（１８５と１９０）より構成される
無線装置。」
　
２．
周知例等
　
（１）
　本願のもとの出願の日の前に頒布された特開平８−６５２０１号公報（以下「周知例１」という。）には，図面とともに次の事項が記載されている。
　
【発明の詳細な説明】
【０００１】
【産業上の利用分野】
本発明は、ＣＤＭＡ（Code Division Multiple Access ）方式の移動通信装置に関する。
【０００２】
【従来の技術】図５は
従来のＣＤＭＡ方式移動通信装置における移動局の概略構成を示す。
【０００３】次に上記従来例の動作について説明する。送信側では、音声またはデータ端末からの伝送されるべき情報が送信データ変換回路５１に入力され、制御信号等を付加してフレームが構成され、１次変調回路５２において各種変調方式により変調され、拡散回路５３で符号拡散した後、２次変調回路５４において所望のキャリア周波数に変換され、送信アンテナ５５から送信される。また受信側では、アンテナ５６ａ，５６ｂのうち、受信側では、通常時は１系統のみを用い、受信アンテナ５６ａで受信された信号は、１次復調回路５７ａでベースバンド信号に変換され、逆拡散回路５８ａで相関検出を行ない、さらに２次復調回路５９ａでベースバンドデータが復調され、受信データ変換回路６０ａで制御信号と音声またはデータに分離され、選択回路６１は、この場合１系統なので、受信データ変換回路６０ａの出力をそのまま出力し、音声またはデータ端末において所望の情報を得る。タイミング制御回路６２は、移動局の全タイミングおよびシーケンスの制御を行なう。また、遅延波を分離できず受信品質が劣化した場合は、アンテナ５６ａ，５６ｂの２系統使用し、受信レベル、誤り検出情報を用いて、品質の良い受信データを選択するスペースダイバーシチを行ない、受信品質を向上させることができる。さらに、
現接続基地局との受信品質が劣化した場合のソフトハンドオーバ（ＳＨＯ）時には、２つの基地局に対し、２系統の受信機を用い
【０００４】
【発明が解決しようとする課題】ＣＤＭＡ方式の特徴として、拡散チップ幅より遅延分散が大きいと、逆拡散を行なうことで複数の遅延波に分離でき、これらを合成することにより、パスダイバーシチ効果を得られる。しかしながら、上記従来の移動通信装置では、マイクロセルや伝送レートが低い場合等には遅延波を分離することができず、パスダイバーシチ効果が得られず、受信品質が劣化することになる。このような場合、スペースダイバーシチを行なうことも可能であるが、アンテナおよび１次復調回路を追加する必要があり、ハードウェアの規模が大きくなるという問題があった。
【０００５】本発明は、このような従来の問題を解決するものであり、パスダイバーシチ効果が得られない条件下においても、ハードウェアの増加を伴うことなく受信品質を保つことのできる優れた移動通信装置を提供することを目的とするものである。
【０００６】
【課題を解決するための手段】本発明は、上記目的を達成するために、基地局において、パスダイバーシチ効果が得られない条件下では同一情報を同一キャリアおよび異なる拡散コードで送信パワを１／２にして２系統の送信を行ない、移動局では１系統のアンテナで受信し、受信した受信信号を１次復調回路でベースバンド信号に変換し、２系統の逆拡散回路で相関検出を行ない、２系統の受信信号に対してそれぞれデータ再生を行なって選択回路において受信レベルおよび誤り検出情報を用いて選択することにより、受信品質を向上させるようにしたものである。また、
ＳＨＯ時には、ＳＨＯ元基地局とＳＨＯ先基地局とでそれぞれ１系統にし、サイトダイバーシチで受信品質を保ち、ＳＨＯ終了後、ＳＨＯ先基地局と再び２系統で通信を行ない、受信品質を保つようにしたものである。
【０００７】
【作用】したがって本発明によれば、パスダイバーシチ効果が得られない条件下では基地局送信を２系統とし、
移動通信装置において
ＳＨＯ時には、ＳＨＯ元基地局とＳＨＯ先基地局とで送信をそれぞれ１系統とし、サイトダイバーシチで受信品質を保ち、ＳＨＯ終了後、ＳＨＯ先基地局と再び２系統で通信を行ない、受信品質を保つことにより、ハードウェアの増加を伴うことなく受信品質を保つことができる。
【実施例】
（実施例１）図１は本発明の第１の実施例の概略構成を示すものである。図１において、１は送信データ変換回路、２は１次変調回路、３は拡散回路、４は２次変調回路、５は送信アンテナ、６は受信アンテナ、７は１次復調回路、８ａ，８ｂは逆拡散回路、９ａ，９ｂは２次復調回路、１０ａ，１０ｂは受信データ変換回路、１１は選択回路、１２は受信品質判定回路、１３はタイミング制御回路である。
【０００９】次に本実施例の動作について説明する。送信側では、音声またはデータ端末からの伝送されるべき情報が送信データ変換回路１に入力され、制御信号等を付加してフレームを構成し、１次変調回路２において各種変調方式により変調され、拡散回路３で符号拡散した後、２次変調回路４において所望のキャリア周波数に変換され、送信アンテナ５から送信される。また受信側では、受信アンテナ６で受信された信号は、１次復調回路７でベースバンド信号に変換され、２系統のうち一方の逆拡散回路８ａで拡散コードに応じて相関検出を行ない、さらに２次復調回路９ａでベースバンドデータが復調され、受信データ変換回路１０ａで制御信号と音声またはデータに分離される。選択回路１１では、復調データは１系統であるため、受信データ変換回路１０ａからの復調データをそのまま出力し、音声またはデータ端末において所望の情報を得る。
【００１０】２次復調回路９ａでは、設定されたしきい値を超えた遅延波の数をカウントし、受信データ変換回路１０ａでは誤り検出を行なう。この遅延波の数および誤り検出情報から受信品質判定回路１２において受信品質を比較を行ない、受信品質が劣化したと判断した場合は、基地局に対して送信を２系統にすることを制御信号を通じて報告する。方向を受けた基地局は、同一情報を同一キャリアおよび異なる拡散コードで送信パワを１／２にして２系統の送信を行ない、移動局では、受信アンテナ６で受信された信号が１次復調回路７でベースバンド信号に変換され、２系統の逆拡散回路８ａ，８ｂでそれぞれの拡散コードに応じて相関検出を行ない、さらに２系統の２次復調回路９ａ，９ｂでベースバンドデータがそれぞれ復調され、受信データ変換回路１０ａ，１０ｂで制御信号と音声またはデータに分離される。受信データ変換回路１０ａ，１０ｂからの２系統の復調データは、選択回路１１において、受信レベルおよび誤り検出情報を用いて受信品質の良い受信データを選択し、音声またはデータ端末において所望の情報を得る。タイミング制御回路１３は、移動局の全タイミングおよびシーケンスの制御を行なう。受信レベルおよび誤り検出情報の検出機能は、この種の移動局に通常備わっているものであり、ハードウェアの増加はない。
（公報第２ページ第１欄〜第３ページ第４欄。なお，下線は当審が付与。）
　
　上記の記載において「系統」は本願発明の「ブランチ」に相当する。
　上記の周知例１には，要するに，ＣＤＭＡ方式により通信を行う移動局において，ソフトハンドオフ（ＳＨＯ）の際に，２つのブランチを用い，ＳＨＯ元基地局とＳＨＯ先基地局とでそれぞれ１つのブランチにし，ＳＨＯ終了後，ＳＨＯ先基地局と再び２つのブランチで通信を行うようにダイバーシティ処理を行うように制御する技術，が開示されている。
　
（２）
　本願のもとの出願の日の前に頒布された特開平９−３３０号公報（平成９年１月１０日公開，以下「周知例２」という。）には，図面とともに次の事項が記載されている。（下線は当審が付与。）
　
ア
【０００４】
【課題を解決するための手段】本発明による移動通信システムの無線ゾーン間チャネル切替方式は、複数の無線ゾーンの各各にそれぞれ配置されるとともに制御局に統括される基地局と、前記無線ゾーンを自在に移動するとともに通信チャネルを用いて前記基地局との間で通信する複数の移動局とを備え、
前記移動局が前記無線ゾーンを移動しても前記基地局および前記通信チャネルを切り替えて前記通信を維持する移動通信システムの無線ゾーン間チャネル切替方式において、前記基地局の各各が、隣接する無線ゾーンで使用している前記通信チャネルの情報である隣接ゾーン通信チャネル情報を報知する通信チャネル情報報知手段を備え
　
イ
【００２３】図５は本実施例に用いた移動局３のブロック図である。
【００２４】移動局３は、制御装置３１と、
基地局２から受けた隣接ゾーン通信チャネル情報
制御装置３１の指示により受信する通信チャネルＴｃｈごとに周波数を変えるシンセサイザ３３
【００２５】図６は本実施例の移動局３の動作を示すフローチャートである。
【００２６】図１，図５および図６を併せ参照すると、移動局３は無線ゾーン４−１内の地点Ａにおいて基地局２−２と通信チャネルＴｃｈ２を使用して通信を開始する。移動局３は下り通信チャネルＴｃｈをアンテナ３７，アンテナ共用器３６および受信機３５を介して制御装置３１に受ける。メモリ３２は、通信開始直後から、下り通信チャネルＴｃｈ２によって伝送されている隣接ゾーン通信チャネル情報を制御装置３１から受けて記憶している（ステップ１）。移動局３が無線ゾーン４−２内にいるときに通信が終了すると（ステップ２のｙ）、制御装置３１は基地局２−２との通信を終了させる（ステップ３）。
【００２７】通信の継続中（ステップ２のｎ）には、品質測定装置３８が下り通信チャネルＴｃｈ２の受信レベルを絶えず測定している（ステップ４）。この受信レベルが所定レベル以上であれば（ステップ５のｎ）、移動局３はステップ２からの動作を繰り返し、制御装置３１は基地局２−２と通信チャネルＴｃｈを用いた通信を継続させる。ここで、移動局３が無線ゾーン４−１寄りの無線ゾーン４−２の端にある地点Ｂに移動すると、品質測定装置３８が下り通信チャネルＴｃｈ２の受信レベル劣化を検出して制御装置３１に知らせる（ステップ５のｙ）。
【００２８】通信中の通信チャネルＴｃｈ２の受信レベル劣化の検出報告を受けると、制御装置３１はメモリ３２に記憶している隣接無線ゾーンの基地局２−１，２−３，２−４および２−５で使用している全ての通信チャネルＴｃｈ１，Ｔｃｈ３，Ｔｃｈ４およびＴｃｈ５の下り受信レベルを品質測定装置３８に測定させる（ステップ６およびステップ７のｎ）。全隣接無線ゾーンの基地局からの下り通信チャネルの受信レベル測定が終了すると（ステップ７のｙ）、
制御装置３１はシンセサイザ３３の周波数を制御して受信機３５の通信チャネルＴｃｈを自無線ゾーンの基地局２−２および隣接無線ゾーンの基地局からの下り通信チャネルＴｃｈ１〜Ｔｃｈ５のうちの最も受信レベルの高い通信チャネルに設定する。
　
　上記の記載において，「前記移動局が前記無線ゾーンを移動しても前記基地局および前記通信チャネルを切り替えて前記通信を維持する移動通信システムの無線ゾーン間チャネル切替方式」がハンドオフに係る技術であることは明白である。また，「隣接無線ゾーンの基地局」，「隣接ゾーン通信チャネル情報」は本願発明の「周辺基地局」，「周辺基地局のキャリア周波数」に相当する。
　上記の周知例２には，要するに，ハンドオフの際に，周辺基地局のサーチを行うのに用いる周辺基地局のキャリア周波数に，移動元基地局から通知されるものを用いる技術，が開示されている。
　
　
第３　対比　
　
　引用発明と本願発明を比較する。
　
・引用発明において「移動無線装置」と「無線装置」は同一の物であって，該「無線装置」が「ＣＤＭＡ方式」により通信を行うことは明らかであるから，該「無線装置」は本願発明の「ＣＤＭＡ方式により通信を行う移動局」に相当する。
　
・引用発明は「多重送信及び受信パスに組み合わされた多重周波数シンセサイザーは，この装置で多重周波数で同時に送受信し，他をサーチ中に一つの周波数で通信し，そして周波数間でソフトハンドオフを実施することを可能」とするのであり，ソフトハンドオフとは，移動局と通信している基地局を移動元基地局との通信を維持し，移動局が周辺基地局から特定の基地局を移動先基地局として通信を行うように切り替える技術であることはＣＤＭＡ方式により通信を行う技術分野の技術常識である。
　そうすると，無線装置が動作する周波数について指示をする「基地局」は本願発明の「移動元基地局」に相当する。そして「他をサーチ」が「周辺基地局」から「移動先基地局」のサーチを意味することは技術常識から明白である。
　また，「多重周波数で同時に送受信し，他をサーチ中に一つの周波数で通信し，そして周波数間でソフトハンドオフを実施する」ことから，引用発明においてソフトハンドオフを実施する際に少なくとも「他をサーチ」するための周波数と移動元基地局と通信をするための周波数を用いていることは明らかである。
　以上から，引用発明は「移動元基地局に応じた第１のキャリア周波数」を用い「移動元基地局との通信を維持」させ，「移動先基地局に応じた第２のキャリア周波数」を用いているといえる。さらに移動先基地局との通信が「周辺基地局のサーチ結果に応じて移動先基地局が検出された後」に行われること，この移動先基地局との通信のため「第２のキャリア周波数」を用いて同期確立を行わせることは当然である。また引用発明の「マイクロコントローラー」と本願発明の「ブランチ動作制御部」は「移動元基地局から受信した信号と移動先基地局から受信した信号との間で処理を行うように制御する」「制御部」である点で共通する。
　
　
　よって，本願発明と引用発明は，次の点で一致・相違する。
　
＜一致点＞
　ＣＤＭＡ方式により通信を行う移動局において、
　移動元基地局からの無線信号を受信するとともに、周辺基地局のキャリア周波数を用いて前記周辺基地局のサーチを行い、
　周辺基地局のサーチ結果に応じて移動先基地局が検出された後は、前記移動元基地局に応じた第１のキャリア周波数を用いて前記移動元基地局との通信を維持させるとともに、前記移動先基地局に応じた第２のキャリア周波数を用いて前記移動先基地局との同期確立を行わせ、前記移動元基地局から受信した信号と前記移動先基地局から受信した信号との間で処理を行うように制御する制御部と、
　を有することを特徴とする移動局。
　
＜相違点１＞
　本願発明は「周辺基地局のサーチを行う」際に用いられる「周辺基地局のキャリア周波数」が「移動元基地局から通知される」点。
　
＜相違点２＞
　本願発明は「周辺基地局のサーチを行う」のが「複数のブランチ」である点。
　
＜相違点３＞
　本願発明においては，「移動元基地局に応じた第１のキャリア周波数を用いて前記移動元基地局との通信を維持させる」のが「ブランチの一部」であり，「移動先基地局に応じた第２のキャリア周波数を用いて前記移動先基地局との同期確立を行わせ」のが「他のブランチ」である点。
　
＜相違点４＞
　本願発明の「ブランチ動作制御部」で行う処理が，「ダイバーシティ」処理であって，該処理を行うように制御するのが「複数のブランチの動作」である点。
　
　
第４　当審の判断　
　
１．
相違点に対する当審の判断
　
＜相違点１＞について
　「周辺基地局のサーチを行う」際に用いられる「周辺基地局のキャリア周波数」が「移動元基地局から通知される」ようにすることは，例えば，周知例２にも記載されているように，当業者が容易になし得る事項に過ぎない。
　
＜相違点２＞ないし＜相違点４＞について
　ＣＤＭＡ方式により通信を行う移動局が，２つのブランチ，すなわち複数のブランチを備え，前記ブランチの一部に移動元基地局との通信をさせ，他の前記ブランチにより移動先基地局との通信を行わせ，移動元基地局から受信した信号と移動先基地局から受信した信号との間でダイバーシティ処理を行うように，複数のブランチの動作を制御することは，周知（例えば，周知例１）であり，周知技術を引用発明に適用し，本願発明の「前記ブランチの一部に前記移動元基地局に応じた第１のキャリア周波数を用いて前記移動元基地局との通信を維持させるとともに、他の前記ブランチに前記移動先基地局に応じた第２のキャリア周波数を用いて前記移動先基地局との同期確立を行わせ、前記移動元基地局から受信した信号と前記移動先基地局から受信した信号との間でダイバーシティ処理を行うように前記複数のブランチの動作を制御するブランチ動作制御部」とすることは当業者が容易に想到し得たものであり，また周知技術の適用により，ブランチが周辺基地局のサーチを行うことは当然であって，周辺基地局のサーチを行うブランチを複数とすることは，当業者が適宜なし得る事項に過ぎない。
　
２．
平成２３年１月７日付け意見に対する当審の見解
　
　請求人の主張は，要するに，本願発明は，異なるキャリア周波数が使われ得る周辺基地局のサーチを効率的に行うため，「前記移動元基地局から通知される周辺基地局のキャリア周波数を用いて前記周辺基地局のサーチを行う複数のブランチ」の構成を備えているが，該構成について，引用例及び周知例１には開示も示唆もない，というものである。
　しかしながら，請求人の主張する「前記移動元基地局から通知される周辺基地局のキャリア周波数を用いて前記周辺基地局のサーチを行う複数のブランチ」の構成については，上記の「＜相違点１＞について」及び「＜相違点２＞ないし＜相違点４＞について」述べたとおりであり，その構成が奏する効果については，引用発明及び周知技術から予測できる範囲のものである。
　よって，請求人の主張を採用することはできない。
　
３．
まとめ
　
　以上のとおりであるから，＜相違点１＞ないし＜相違点４＞のように構成することは，引用発明及び周知技術から当業者が容易に想到し得たものである。
　そして，本願発明のように構成したことによる効果も，引用発明及び周知技術から予測できる範囲のものである。
　したがって，本願発明（平成２３年１月７日付け手続補正書の特許請求の範囲の請求項１に係る発明）は，引用発明及び周知技術に基づいて当業者が容易に発明をすることができたものである。
　
　
第５　むすび　
　
　以上のとおりであるから，本願発明は，特許法第２９条第２項の規定に該当し，特許を受けることができない。
　したがって，本願は，他の請求項について論及するまでもなく，拒絶すべきものである。
　
　よって，結論のとおり，審決する。